(57)【要約】  紙葉類取扱装置に着脱可能に収納排出装置を取り付ける。  鑑別装置(2)から供給される紙葉を収納しかつ収納する紙葉を鑑別装置(2)に排出する還流搬送装置(5)を収納排出装置(3)に設け、収納排出装置(3)の還流搬送装置(5)に分離可能に駆動接続される還流モータ(70)を主搬送装置(4)に設ける紙葉類取扱装置を提供する。収納排出装置(3)の還流搬送装置(5)により、鑑別装置(2)から供給される紙葉を収納排出装置(3)内に収納し、収納排出装置(3)内に既に収納される紙葉を収納排出装置(3)から排出して、主搬送装置(4)により紙葉を鑑別装置(2)に搬送しかつ払い出すことができる。
2010087212.tif 000002
【特許請求の範囲】
【請求項１】
鑑別装置(2)と、鑑別装置(2)に対して着脱可能に取り付けられる収納排出装置(3)と、鑑別装置(2)に取り付けられて鑑別装置(2)と収納排出装置(3)との間で還流搬送通路(6)に沿って紙葉を搬送する主搬送装置(4)とを備え、
収納排出装置(3)は、還流庫(50)と、主搬送装置(4)を通じて鑑別装置(2)から供給される紙葉を還流庫(50)内に収納すると共に、還流庫(50)内に収容される紙葉を取り出す還流搬送装置(5)とを備え、
主搬送装置(4)は、収納排出装置(3)の還流搬送装置(5)を駆動する還流モータ(70)を備え、
還流搬送装置(5)と還流モータ(70)との駆動接続を分離して、収納排出装置(3)を鑑別装置(2)から取り出すことを特徴とする紙葉類取扱装置。
【請求項２】
還流搬送装置(5)は、還流搬送通路(6)から還流庫(50)に紙葉を取り込みかつ還流庫(50)から排出される紙葉を還流搬送通路(6)に排出する供給ローラ(33)と、還流庫(50)から還流搬送通路(6)に紙幣を払い出す繰出しローラ(34)とを備え、
供給ローラ(33)と繰出しローラ(34)とを分離可能に還流モータ(70)に駆動接続した請求項１に記載の紙葉類取扱装置。
【請求項３】
主搬送装置(4)は、還流搬送通路(6)に沿って配置される主搬送ベルト(40)又は主搬送ローラを備え、
供給ローラ(33,33a,33b)は、還流搬送装置(5)に回転可能に支持されかつ還流搬送通路(6)に沿って主搬送ベルト(40)又は主搬送ローラに分離可能に押圧され、
鑑別装置(2)から搬送される紙葉は、主搬送ベルト(40)又は主搬送ローラと供給ローラ(33,33a,33b)との間に挟持されて、還流搬送通路(6)に沿って搬送され、
収納排出装置(3)を鑑別装置(2)から取り外すとき、供給ローラ(33,33a,33b)を主搬送ベルト(40)又は主搬送ローラから分離する請求項２に記載の紙葉類取扱装置。
【請求項４】
収納排出装置(3)は、回転可能に支持されかつ還流搬送通路(6)に沿って主搬送ベルト(40)又は主搬送ローラに分離可能に押圧されるピンチローラ(49)を備え、
鑑別装置(2)から搬送される紙葉は、主搬送ベルト(40)又は主搬送ローラとピンチローラ(49)との間に挟持されて、還流搬送通路(6)に沿って搬送され、
収納排出装置(3)を鑑別装置(2)から取り外すとき、ピンチローラ(49)を主搬送ベルト(40)から分離する請求項３に記載の紙葉類取扱装置。
【請求項５】
鑑別装置(2)は、入口(20)内に挿入される紙葉を鑑別搬送通路(22a)に沿って搬送する鑑別搬送装置(22)を備え、
主搬送装置(4)は、鑑別搬送通路(22a)に沿って搬送される紙葉を還流搬送通路(6)に沿って収納排出装置(3)に搬送し、
還流モータ(70)を一方向に回転するとき、還流搬送装置(5)は、還流搬送通路(6)に沿って搬送される紙葉を収納排出装置(3)の還流庫(50)内に搬送する請求項１に記載の紙葉類取扱装置。
【請求項６】
還流モータ(70)を他方向に回転するとき、還流搬送装置(5)は、還流庫(50)に収納される紙葉を還流庫(50)から還流搬送通路(6)に取出し、
主搬送装置(4)は、還流搬送通路(6)に取り出される紙葉を鑑別搬送通路(22a)に搬送し、
鑑別搬送装置(22)は、鑑別搬送通路(22a)に搬送される紙葉を入口(20)に搬送する請求項５に記載の紙葉類取扱装置。
【請求項７】
収納排出装置(3)は、還流庫(50)から垂直方向に離間して配置されかつ排出不能に紙葉を収納する保管庫(51)を備え、
保管庫(51)は、主搬送装置(4)により還流搬送通路(6)に沿って搬送される紙葉を収納する請求項５又は６に記載の紙葉類取扱装置。
【請求項８】
還流庫(50)は、紙葉を収納する収納空間(86)の上方に配置される支持板(57)と、紙葉が繰出しローラ(34)に接触する接触位置と紙葉が繰出しローラ(34)から離間する離間位置との間で移動可能に支持板(57)の下方に配置されて紙葉を支持する底板(55)と、離間位置から接触位置に底板(55)を移動させて収納空間(86)内の紙葉を繰出しローラ(34)に接触させるリフタ(180)とを備え、
紙葉が繰出しローラ(34)に接触するとき、繰出しローラ(34)を回転させて、支持板(57)から還流搬送通路(6)に紙葉を移動する請求項７に記載の紙葉類取扱装置。
【請求項９】
リフタ(180)は、リフタモータ(80)と、リフタモータ(80)の作動により垂直方向に移動するロッド(83)とを備え、
ロッド(83)が垂直方向に移動するとき、支持板(57)上に支持される紙葉を収納庫(50)内に収容し又は接触位置に底板(55)を移動して、紙葉を繰出しローラ(34)に接触させる請求項８に記載の紙葉類取扱装置。
【請求項１０】
リフタ(180)は、リフタモータ(80)と、リフタモータ(80)により回転されるピニオン(181)と、ピニオン(181)に噛み合ってピニオン(181)の回転時に垂直方向に移動するラック(182)とを備え、
ラック(182)が垂直方向に移動するとき、支持板(57)上に支持される紙葉を収納庫(50)内に収容すると共に、接触位置に底板(55)を移動して、紙葉を繰出しローラ(34)に接触させる請求項８に記載の紙葉類取扱装置。
【請求項１１】
還流搬送装置(5)は、主搬送装置(4)に設けられて還流モータ(70)により駆動される駆動歯車(76)に分離可能に噛合う従動歯車(35)と、主搬送装置(4)に設けられる主搬送ベルト(40)又は主搬送ローラと、主搬送ベルト(40)又は主搬送ローラに対して分離可能に押圧されかつ従動歯車(35)により駆動されて収納排出装置(3)内で紙葉を移動させる供給ローラ(33)と、還流庫(50)から還流搬送通路(6)に紙幣を払い出す繰出しローラ(34)とを備え、
還流モータ(70)の駆動により駆動歯車(76)及び従動歯車(35)を介して供給ローラ(33)と繰出しローラ(34)とを回転する請求項１〜１０の何れか１項に記載の紙葉類取扱装置。
【請求項１２】
搬送モータ(23)の正転時に、鑑別装置(2)の鑑別搬送通路(22a)から還流搬送通路(6)に紙葉を搬送し、
還流モータ(70)の正転時に、供給ローラ(33)と繰出しローラ(34)を正転して、還流搬送通路(6)から還流庫(50)に紙葉を搬送する請求項１に記載の紙葉類取扱装置。
【請求項１３】
還流モータ(70)の逆転時に、繰出しモータ(34)及び供給ローラ(33)を逆転して、還流庫(50)から還流搬送通路(6)に紙葉を取出し、
搬送モータ(23)を逆転して、還流搬送通路(6)から鑑別装置(2)の鑑別搬送通路(22a)に紙葉を搬送する請求項１２に記載の紙葉類取扱装置。
【請求項１４】
主搬送装置(4)は、開放位置と閉鎖位置との間で移動可能な偏向レバー(38)と、開放位置と閉鎖位置との間で偏向レバー(38)を移動するアクチュエータ(250)とを備え、
開放位置にある偏向レバー(38)は、還流庫(50)と還流搬送通路(6)との間で搬送される紙葉を案内する請求項１に記載の紙葉類取扱装置。
【請求項１５】
収納排出装置(3)を鑑別装置(2)から取り出すとき、偏向レバー(38)をアクチュエータ(250)から分離する請求項１４に記載の紙葉類取扱装置。
【請求項１６】
主搬送ベルト(40)に対して押圧されるアイドルローラ(46,47,48)をピンチローラ(49a,49b)に対応する位置に設けた請求項４に記載の紙葉類取扱装置。
【請求項１７】
収納排出装置(3)は、第１の収納排出装置(31)と、第１の収納排出装置(31)に対して垂直方向に隣り合って配置される第２の収納排出装置(32)とを備え、
第１の収納排出装置(31)は、第1の還流庫(31a)を備え、第２の収納排出装置(32)は、第１の還流庫(31a)内に収納される紙葉とは異なる種類の紙葉を収納する第２の還流庫(31b)を備える請求項１に記載の紙葉類取扱装置。
【請求項１８】
還流搬送装置(5)は、還流搬送通路(6)から第１の還流庫(31a)に紙葉を取り込む第１の供給ローラ(33a)と、還流搬送通路(6)から第２の還流庫(31b)に紙葉を取り込む第２の供給ローラ(33b)と、第１の還流庫(31a)から還流搬送通路(6)に紙幣を払い出す第１の繰出しローラ(34a)と、第２の還流庫(31b)から還流搬送通路(6)に紙幣を払い出す第２の繰出しローラ(34b)とを備える請求項１７に記載の紙葉類取扱装置。
【請求項１９】
還流モータ(70)は、第１の供給ローラ(33a)に分離可能に駆動連結される第１の還流モータ(70a)と、第２の供給ローラ(33b)に分離可能に駆動連結される第２の還流モータ(70b)とを備える請求項１８に記載の紙葉類取扱装置。
【請求項２０】
第１の供給ローラ(33a)は、第１の中間歯車(35a)に駆動連結され、第１の還流モータ(70a)は、第１の駆動歯車(76a)に駆動連結され、
第２の供給ローラ(33b)は、第２の中間歯車(35b)に駆動連結され、第２の還流モータ(70b)は、第２の駆動歯車(76b)に駆動連結され、
収納排出装置(3)を鑑別装置(2)に取り付けるとき、第１の駆動歯車(35a)と第２の駆動歯車(35b)は、それぞれ第１の駆動歯車(76a)及び第２の駆動歯車(76b)に自動的に駆動連結され、
収納排出装置(3)を鑑別装置(2)から取り外すとき、第１の駆動歯車(35a)と第２の駆動歯車(35b)は、それぞれ第１の駆動歯車(76a)及び第２の駆動歯車(76b)から自動的に分離される請求項１９に記載の紙葉類取扱装置。
【請求項２１】
主搬送装置(4)は、開放位置と閉鎖位置との間で移動可能な第１の偏向レバー(38a)と、開放位置と閉鎖位置との間で第１の偏向レバー(38a)を移動する第１のアクチュエータ(251)と、開放位置と閉鎖位置との間で移動可能な第２の偏向レバー(38b)と、開放位置と閉鎖位置との間で第２の偏向レバー(38b)を移動する第２のアクチュエータ(252)とを備え、
開放位置にある第１の偏向レバー(38a)は、第１の還流庫(31)と還流搬送通路(6)との間で搬送される紙葉を案内し、
開放位置にある第２の偏向レバー(38b)は、第２の還流庫(31b)と還流通路(6)との間で搬送される紙葉を案内する請求項２０に記載の紙葉類取扱装置。
【請求項２２】
第１のアクチュエータ(251)及び第２のアクチュエータ(252)に対してそれぞれ第１の偏向レバー(38a)と第２の偏向レバー(38b)を分離できる請求項２１に記載の紙葉類取扱装置。
【請求項２３】
鑑別装置(2)と収納排出装置(3)とを還流搬送通路(6)で分離できる請求項１〜２２のいずれか１項に記載の紙葉類取扱装置。
【発明の詳細な説明】
【技術分野】
【０００１】
本発明は、紙葉類を収納しかつ収納された紙葉類を排出できる収納排出装置を、鑑別装置に対して着脱可能に取り付ける紙葉類取扱装置に関するものである。
【背景技術】
【０００２】
下記特許文献１は、紙幣を装置内外へ出し入れする接客部と、紙幣の真偽・金種・汚損などの判別や計数を行う複数の小型鑑別部と、多数枚の紙幣を収納する複数の金庫と、損券・リジェクト券・非還流券などを収納するリジェクト金庫と、入金時認識された紙幣を集積し金庫へ紙幣を収納したり、出金時指定された枚数の紙幣を一枚ずつ金庫より繰り出しを行う複数の一時保留部と、接客部・小型鑑別部・リジェクト金庫・一時保留部の各部間で紙幣を一枚ずつ搬送するシリアル搬送部とを有し、シリアル搬送部は、正逆双方向に紙幣を搬送可能な双方向搬送路と、一定方向のみに紙幣を搬送可能な単方向搬送路とを組み合わせた紙幣自動取扱装置を示す。しかしながら、特許文献１に示される紙幣自動取扱装置では、複数の単方向搬送路を介して各金庫と双方向搬送路とを接続しなければならないため、搬送路の構造が複雑となり、装置自体が大型化する難点がある。また、接客部から取外して、金庫を個別に回収できない不便がある。【０００３】
また、下記特許文献２は、紙幣を収納する収納室と、収納室の内部又は外部に紙幣を搬送する搬送路を有する紙幣搬送部とを備える紙幣収納装置を示す。紙幣が移動する方向の一方の側を支点として開閉できる紙幣搬送部に設けられるドアを閉鎖すると、搬送路を形成でき、ドアを開放すると、搬送路を構成する空間に外部から進入することができる。しかしながら、特許文献２に示される紙幣収納装置も、複雑な構造の紙幣搬送部のため、装置を小型化できない上、何れのスタッカも着脱可能に紙幣収納装置に取り付けることができない欠陥がある。
【先行技術文献】
【特許文献】
【０００４】
【特許文献１】特開平４−１５８４９４号公報  図１
【特許文献２】特開平１１−３３９１００号公報  図１、図８、図２８、図４６、図４７
【発明の概要】
【発明が解決しようとする課題】
【０００５】
本発明は、入口から挿入される紙葉類を収納しかつ収納された紙葉類を排出できる収納排出装置を、鑑別装置に着脱可能に装着できる紙葉類取扱装置を提供することを目的とする。また、本発明は、軽量化される収納排出装置を備える小型の紙葉類取扱装置を提供することを目的とする。
【課題を解決するための手段】
【０００６】
本発明の紙葉類取扱装置は、鑑別装置(2)と、鑑別装置(2)に対して着脱可能に取り付けられる収納排出装置(3)と、鑑別装置(2)に取り付けられて鑑別装置(2)と収納排出装置(3)との間で還流搬送通路(6)に沿って紙葉を搬送する主搬送装置(4)とを備える。収納排出装置(3)は、還流庫(50)と、主搬送装置(4)を通じて鑑別装置(2)から供給される紙葉を還流庫(50)内に収納すると共に、還流庫(50)内に収容される紙葉を取り出す還流搬送装置(5)とを備える。主搬送装置(4)は、収納排出装置(3)の還流搬送装置(5)を駆動する還流モータ(70)を備え、還流搬送装置(5)と還流モータ(70)との駆動接続を分離して、収納排出装置(3)を鑑別装置(2)から取り出す。本発明の紙葉類取扱装置では、鑑別装置(2)と収納排出装置(3)とを還流搬送通路(6)で分離できる。【０００７】
収納排出装置(3)に設けられる還流搬送装置(5)により、鑑別装置(2)から供給される紙葉を収納排出装置(3)内に収納し、収納排出装置(3)内に既に収納される紙葉を収納排出装置(3)から排出して、主搬送装置(4)により紙葉を鑑別装置(2)に搬送しかつ払い出すことができる。この場合に、収納排出装置(3)の還流搬送装置(5)に分離可能に駆動接続される還流モータ(70)により、還流搬送装置(5)を作動するため、駆動源を収納排出装置(3)に設ける必要がなく、収納排出装置(3)を軽量に製造することができる。収納排出装置(3)を鑑別装置(2)に装着すると、収納排出装置(3)の還流搬送装置(5)は、主搬送装置(4)に設けられる還流モータ(70)に自動的に駆動接続され、主搬送装置(4)の動作に連動して又は系統的かつ組織的に還流搬送装置(5)を作動することができる。また、鑑別装置(2)に対して着脱可能に取り付けられる収納排出装置(3)を鑑別装置(2)から分離して、収納排出装置(3)のみを個別に回収して、紙葉を収集・集計することができる。また、前方より収納排出装置(3)を取り外すと、主搬送装置(4)に直接アクセスすることができ、保守、点検及び修理を容易に行うことができる。
【発明の効果】
【０００８】
本発明では、軽量で簡素な機構を有し、前方より開放できる保守管理の容易な収納排出装置を備える小型で信頼性の高い紙葉類取扱装置を得ることができる。
【図面の簡単な説明】
【０００９】
【図１】紙幣鑑別収納払出装置に適用した本発明による紙葉類取扱装置の実施の形態を示す断面図
【図２】図１に示す紙幣鑑別装置に着脱自在に装着される収納排出装置の斜視図
【図３】図２に示す収納排出装置の偏向レバーを閉鎖位置に移動した状態を示す斜視図
【図４】図１に示す紙幣鑑別装置の主搬送装置の駆動系を示す断面図
【図５】図１に示す紙幣鑑別装置の保管庫内に紙幣を搬送する駆動系を示す断面図
【図６】主搬送装置に設けられる還流モータを収納排出装置の還流搬送装置に分離可能に駆動接続する状態を示す断面図
【図７】還流庫と還流搬送通路とを偏向レバーにより閉鎖して、保管庫に紙幣を搬送する状態を示す断面図
【図８】還流庫と還流搬送通路とを連絡可能に開放状態にある偏向レバーを示す断面図
【図９】図１０の紙面直角方向に見た紙幣の取込状態を示す収納排出装置の部分断面図
【図１０】収納排出装置上に供給した紙幣を示す断面図
【図１１】押込装置により紙幣を収納排出装置内に押込む状態を示す断面図
【図１２】図１１の紙面直角方向に見た断面図
【図１３】紙幣の取込完了状態を示す収納排出装置の部分断面図
【図１４】鑑別装置から収納排出装置内に紙幣を取込む状態を示す断面図
【図１５】底板を上昇して収納排出装置から紙幣を鑑別装置に排出する状態を示す断面図
【図１６】繰出しローラと供給ローラを回転して収納排出装置から紙幣を鑑別装置に排出する状態を示す断面図
【図１７】収納排出装置に紙幣を収納する動作シーケンスを示すフローチャート
【図１８】収納排出装置から紙幣を排出する動作シーケンスを示すフローチャート
【図１９】紙幣鑑別装置に使用する電気回路構成を示すブロック図
【図２０】図９に示すリフタの他の実施の形態を示す断面図
【図２１】図２０に示すリフタの内部を示す斜視図
【図２２】図２０に示すリフタにより底板を移動する状態を示す斜視図
【符号の説明】
【００１０】
(1)・・紙幣鑑別収納払出装置（紙葉類取扱装置）、  (2)・・鑑別装置、  (3)・・収納排出装置、  (4)・・主搬送装置、  (5)・・還流搬送装置、  (6)・・還流搬送通路、  (10)・・鑑別センサ、  (11)・本体フレーム・、  (20)・・入口、  (20a)・・入口センサ、  (21)・・出口、  (21a)・・通過センサ、  (22)・・鑑別搬送装置、  (22a)・・鑑別搬送通路、  (22b)・・搬送ベルト、  (22c)・・プーリ、  (22d)・・アイドルローラ、  (23)・・搬送モータ、  (24)・・スタックモータ、  (24a)・・歯車、  (26)・・歯車、  (30)・・ケーシング、  (31)・・上還流庫、  (32)・・下還流庫、  (33,33a,33b)・・供給ローラ、  (33c,33d)・・アイドルローラ、  (34,34a,34b)・・繰出しローラ、  (35a,35b)・・従動歯車、  (36a,36b)・・中間ギア、  (38)・・偏向レバー、  (38a)・・上偏向レバー（第１の偏向レバー）、  (38b)・・下偏向レバー（第２の偏向レバー）、  (38e)・・上レバーエンド、  (38f)・・下レバーエンド、  (39)・・レバー、  (39a)・・切欠部、  (39b)・・ハンドル、  (40)・・主搬送ベルト、  (41,43,44,45)・・プーリ、  (42)・・歯車、  (46,47,48)・・アイドルローラ、  (49,49a,49b)・・ピンチローラ、  (50)・・還流庫、  (51)・・保管庫、  (55a,55b)・・底板、  (56a,56b)・・押込部材、  (57,57a,57b)・・支持板、  (58)・・ローラ、  (59a,59b)・・スプリング、  (60)・・第１の歯車列（第１の動力伝達手段）、  (61,62,63,64,65)・・歯車、  (66,67)・・プーリ、  (68)・・ベルト、  (69)・・第２の歯車列（第２の動力伝達手段）、  (70)・・還流モータ、  (70a)・・上還流モータ、  (70b)・・下還流モータ、  (71a,71b)・・ピニオン、  (72a,72b,74a,74b,75a,75b)・・歯車、  (76,76a,76b)・・駆動歯車、  (80)・・リフタモータ、  (81)・・リフトカム、  (81a)・・リフトカムピン、  (81)・・リフトレバー、  (82a)・・リフトレバーピン、  (82b)・・切欠部、  (82c)・・長孔、  (83)・・ロッド、  (83a)・・ピン、  (83b)・・切欠部、  (90)・・ピン、  (180)・・リフタ、  (251)・・上ソレノイド（第１のアクチュエータ）、  (252)・・下ソレノイド（第２のアクチュエータ）、  (255)・・上レバーローラ、  (256)・・下レバーローラ、
【発明を実施するための形態】
【００１１】
紙幣鑑別収納払出装置に適用した本発明による紙葉類取扱装置の実施の形態を図１〜図２２について説明する。これらの図面では、図示する同一の部分には同一の符号を付する。
【００１２】
本発明の実施の形態による紙幣鑑別収納払出装置は、フレーム(2a)を有する鑑別装置(2)と、鑑別装置(2)のフレーム(2a)に対して着脱可能に取り付けられる収納排出装置(3)と、鑑別装置(2)のフレーム(2a)に固定されかつ鑑別装置(2)と収納排出装置(3)との間で紙幣を搬送する主搬送装置(4)とを備える。
【００１３】
鑑別装置(2)は、紙葉類としての紙幣を鑑別装置(2)内に挿入する入口(20)と、鑑別装置(2)から紙幣を排出する出口(21)と、入口(20)と出口(21)との間で紙幣を搬送する鑑別搬送通路(22a)と、鑑別搬送通路(22a)に沿って紙幣を搬送する鑑別搬送装置(22)と、鑑別装置(2)内に設けられる第２の歯車列(69)を介して保管庫(51)に設けられる第２の歯車列（第２の動力伝達手段）(69)を駆動するスタックモータ(24)と、挿入され又は払い出される紙幣を検出する入口センサ(20a)と、鑑別装置(2)から排出される紙幣を検出する出口センサ(21a)とを備える。鑑別搬送装置(22)は、搬送モータ(23)と、搬送モータ(23)により回転駆動されて、鑑別搬送通路(22a)に沿って紙幣を搬送する搬送ベルト(22b)と、搬送ベルト(22b)が捲回される複数のプーリ(22c)と、搬送ベルト(22b)に接触して紙幣を搬送し又は搬送ベルト(22b)の方向を変換する複数のアイドルローラ(22d)とを備える。また、搬送モータ(23)は、第１の歯車列（第１の動力伝達手段）(60)及び歯車(26)を介して主搬送ベルト(40)を駆動して、主搬送装置(4)内の還流搬送通路(6)に沿って紙幣を移動する。紙幣の光学的特徴又は磁気的特徴を検出する鑑別センサ(10)が鑑別搬送通路(22a)に沿って設けられる。図４に示すように、搬送モータ(23)の回転駆動力は、搬送モータ(23)の駆動軸に固定される歯車(23a)から第１の歯車列（第１の動力伝達手段）(60)に伝達されると共に、図５に示すように、スタックモータ(24)の回転駆動力は、スタックモータ(24)の駆動軸に固定される歯車(24a)から保管庫(51)に設けられる第２の歯車列(69)に伝達される。
【００１４】
鑑別装置(2)の出口(21)は、鑑別装置(2)内に形成される鑑別搬送通路(22a)及び主搬送装置(4)内に形成される還流搬送通路(6)に接続される。鑑別装置(2)の下流側に配置される主搬送装置(4)は、図４に示すように、搬送装置(2)の歯車列(60)に順次駆動連結される歯車(26)と、歯車(26)に噛合う歯車(42)と、歯車(42)に固定されるプーリ(41)と、プーリ(41)及びプーリ(43,44,45)に捲回される主搬送ベルト(40)とを備える。主搬送ベルト(40)は、主搬送ベルト(40)を押圧するアイドルローラ(46,47,48)にも捲回される。
【００１５】
図２及び図３に示すように、収納排出装置(3)を鑑別装置(2)内に装着するとき、主搬送ベルト(40)に対して分離可能に押圧されるピンチローラ(49,49a,49b)は、収納排出装置(3)に回転可能に支持される。ピンチローラ(49,49a,49b)は、アイドルローラ(46,47,48)に対応する位置に取り付けられる。鑑別搬送通路(22a)の出口(21)から主搬送装置(4)の還流搬送通路(6)に供給される紙幣は、主搬送ベルト(40)とピンチローラ(49)との間に挟持されて、主搬送ベルト(40)の移動により還流搬送通路(6)に沿って収納排出装置(3)又は保管庫(51)に向って確実に搬送される。
【００１６】
上還流庫(31)及び下還流庫(32)の垂直方向下方に隣り合って配置される保管庫(51)は、上還流庫(31)及び下還流庫(32)に収納されない金種の紙幣を単独で又は混合して排出不能に収納する。図５に示すように、鑑別装置(2)内の第２の歯車列(69)に噛合う歯車(61)は、歯車(62)に駆動力を伝達する。歯車(62)に固定されるプーリ(66)に捲回されるベルト(68)は、プーリ(67)にも捲回される。歯車(65)が固定されるプーリ(67)の回転により歯車(65)を介して歯車(63)及び歯車(63)に噛合う歯車(64)が回転される。保管庫(51)内に回転可能に取り付けられる歯車(64)には、図示しないベルトが捲回される図示しないプーリが固定され、主搬送装置(4)を通過した紙幣は、保管庫(51)内に供給される。図１に示す搬送装置(4)内で搬送される保管すべき紙幣の先端が、通過検出センサ(203)を通過すると、その検出信号により図１９に示す鑑別搬送制御装置(200)からスタックモータ(24)に駆動信号が付与される。スタックモータ(24)が回転すると、保管庫(51)内のベルト（図示せず）が駆動され、保留紙幣を保管庫(51)の内部に搬送する。その後、スタックモータ(24)を逆転駆動することにより、スタック機構(図示せず)を動作し、保留紙幣が保管庫(51)内に収納される。
【００１７】
本発明の実施の形態では、入口(20)から鑑別装置(2)を通り供給される紙幣を収納しかつ鑑別装置(2)を通り収納する紙幣を入口(20)に排出する単一又は複数の還流搬送装置(5)と、排出可能に紙幣を収納する還流庫(50)とを収納排出装置(3)に設け、収納排出装置(3)の還流搬送装置(5)に分離可能に駆動接続される還流モータ(70)を主搬送装置(4)に設けることを企図する。この場合に、主搬送装置(4)に設けられる還流モータ(70)を一方向に回転させて、還流搬送装置(5)を駆動することにより、鑑別装置(2)から供給される紙幣を収納排出装置(3)内に収納し、還流モータ(70)を他方向に回転させて、還流搬送装置(5)を逆転して、鑑別装置(2)を通り収納排出装置(3)内に収納される紙幣を入口(20)に排出することができる。また、図６に示すように、還流搬送装置(5)は、主搬送装置(4)に設けられる駆動歯車(76)に分離可能に噛合う従動歯車(35)と、従動歯車(35)により駆動されて収納排出装置(3)内で紙幣を移動させる供給ローラ(33)及び繰出しローラ(34)とを備え、駆動歯車(76)は、主搬送装置(4)内で還流モータ(70)により駆動される。このように、還流搬送装置(5)は、還流モータ(70)により駆動されるが、収納排出装置(3)を鑑別装置(2)から取り出すときに、還流搬送装置(5)を還流モータ(70)から分離することができ、収納排出装置(3)を軽量に形成することができる。
【００１８】
収納排出装置(3)を作動する際に、還流搬送装置(5)の作動により、鑑別装置(2)から供給される紙幣を収納排出装置(3)内に収納し、収納排出装置(3)内に既に収納される紙幣を収納排出装置(3)から排出して、主搬送装置(4)により紙幣を鑑別装置(2)に搬送しかつ払い出すことができる。この場合に、駆動源を収納排出装置(3)に設ける必要がなく、収納排出装置(3)の還流搬送装置(5)に分離可能に駆動接続される還流モータ(70)により、還流搬送装置(5)を作動するため、収納排出装置(3)を軽量に製造することができる。収納排出装置(3)を鑑別装置(2)に装着すると、収納排出装置(3)の還流搬送装置(5)は、主搬送装置(4)に設けられる還流モータ(70)に自動的に駆動接続され、主搬送装置(4)の動作と連動して又は系統的かつ組織的に還流搬送装置(5)を作動することができる。また、鑑別装置(2)のフレーム(2a)に対して着脱可能に取り付けられる収納排出装置(3)を鑑別装置(2)から分離して、収納排出装置(3)のみを個別に回収して、紙幣を収集・集計することができる。また、鑑別装置(2)のフレーム(2a)から前方より収納排出装置(3)を取り外すと、主搬送装置(4)に直接アクセスすることができ、保守、点検及び修理を容易に行うことができる。このように、本発明では、軽量で簡素な機構を有する収納排出装置を備える小型で信頼性の高い紙幣類取扱装置を得ることができる。
【００１９】
また、本発明では、図示のように、鑑別装置(2)のフレーム(2a)内に着脱自在に装着されかつ収納排出装置(3)を形成する金属製又は樹脂製のケーシング(30)と、ケーシング(30)内の上段に形成される上還流庫（第１の還流庫）(31)を有する第１の収納排出装置と、上還流庫(31)の垂直方向下段に隣接する下還流庫（第２の還流庫）(32)を有する第２の収納排出装置とが還流庫(50)に設けられる。上還流庫(31)は、特定種の紙幣を排出可能に収納し、下還流庫(32)は、上還流庫(31)に対して垂直方向に隣り合って配置されて他種の紙幣を排出可能に収納する。
【００２０】
還流搬送装置(5)は、図６〜図９に示すように、上還流庫(31)及び下還流庫(32)を有する還流庫(50)を備える。上還流庫(31)及び下還流庫(32)の各々は、還流搬送通路(6)から紙幣を取り込む供給ローラ(33a,33b)と、上還流庫(31)及び下還流庫(32)の各々から還流搬送通路(6)に紙幣を払い出す繰出しローラ(34a,34b)と、紙幣の収納空間(86a,86b)を形成する支持板(57a,57b)と、支持板(57a,57b)内で紙幣を支持する底板(55a,55b)と、上方に支持板(57)の上方に配置されて、支持板(57)が上方に移動するとき収容空間(86a,86b)内に紙幣を押込む押込部材(56a,56b)とを備える。本明細書では、それぞれ一対の上還流庫(31)及び下還流庫(32)、供給ローラ(33a,33b)と、繰出しローラ(34a,34b)と、底板(55a,55b)と、支持板(57a,57b)と、押込部材(56a,56b)と、収容空間(86a,86b)とを代表して、それぞれ還流庫(50)、供給ローラ(33)、繰出しローラ(34)、底板(55)、支持板(57)、押込部材(56)、収容空間(86)と表す。
【００２１】
上還流庫(31)と下還流庫(32)とにそれぞれ設けられる供給ローラ(33a,33b)は、図１に示すように、搬送ベルト(40)に接触して、供給ローラ(33a,33b)と搬送ベルト(40)との間に紙幣が挟持されて、紙幣が搬送される。上還流庫(31)と下還流庫(32)の供給ローラ(33a,33b)と繰出しローラ(34a,34b)は、対応する還流モータ(70a,70b)により同時に駆動される。
【００２２】
図１〜図３、図７及び図８並びに図１６〜図１８に示すように、収納排出装置(3)は、鑑別装置(2)から供給される紙幣を上還流庫(31)に案内すると共に、上還流庫(31)から排出される紙幣を鑑別装置(2)に向って案内する開放位置と、案内を阻止する閉鎖位置との間で移動可能な上偏向レバー（第１の偏向レバー）(38a)と、下還流庫(32)から排出される紙幣を鑑別装置(2)に向って案内する開放位置と、案内を阻止する閉鎖位置との間で移動可能な下偏向レバー（第２の偏向レバー）(38b)とを備える。本明細書では、上偏向レバー(38a)と下偏向レバー(38b)とを総称的に偏向レバー(38)として表す。閉鎖位置にある上偏向レバー(38a)と下偏向レバー(38b)は、鑑別搬送通路(22a)に突出せず、他の還流庫への紙幣の収納、他の還流庫からの紙幣の排出及び保管庫(51)への紙幣の搬送を阻害しない。上偏向レバー(38a)は、開放位置と閉鎖位置との間で軸(38c)周りに回動可能に支持され、下偏向レバー(38b)は、開放位置と閉鎖位置との間で軸(38d)周りに回動可能に支持される。
【００２３】
図７及び図８に示すように、主搬送装置(4)は、開放位置と閉鎖位置との間で上偏向レバー(38a)を移動させる上ソレノイド（第１のアクチュエータ）(251)と、開放位置と閉鎖位置との間で下偏向レバー(38b)を移動させる下ソレノイド（第２のアクチュエータ）(252)と、主搬送装置(4)に取り付けられる軸(260)周りに回動可能に取り付けられて上ソレノイド(251)により作動される上中間レバー(253)（図７）と、主搬送装置(4)に取り付けられる軸(261)周りに回動可能に取り付けられて下ソレノイド(252)により作動される下中間レバー(254)（図７）と、上中間レバー(253)を非作動位置に付勢して、上偏向レバー(38a)を閉鎖位置に付勢する上スプリング(257)と、下中間レバー(254)を非作動位置に付勢して、下偏向レバー(38b)を閉鎖位置に付勢する下スプリング(258)とを備える。上偏向レバー(38a)に接触する上レバーローラ(255)が上中間レバー(253)の下端に取り付けられ、下偏向レバー(38b)に接触する下レバーローラ(256)が下中間レバー(254)の下端に取り付けられる。本明細書では、上ソレノイド(251)と下ソレノイド(252)、上中間レバー(253)と下中間レバー(254)、上スプリング(257)と下スプリング(258)、上レバーローラ(255)と下レバーローラ(256)をそれぞれ総称的にソレノイド(261)、中間レバー(262)、スプリング(263)及びレバーローラ(264)と表す。
【００２４】
上ソレノイド(251)が励磁されると、上スプリング(257)の弾力に抗して上中間レバー(253)が軸(260)周りに時計方向に揺動するので、上レバーローラ(255)は、上レバーエンド(38e)を上還流庫(31)の内部へと押込む。これにより、上偏向レバー(38a)が時計方向に揺動して、上偏向レバー(38a)が閉鎖位置から開放位置に移動し、上偏向レバー(38a)の先端が搬送通路（21）内に突出する。上ソレノイド(251)が消磁されると、上スプリング(257)の弾力により上中間レバー(253)が軸(260)周りに反時計方向に揺動するので、上レバーローラ(255)は、上レバーエンド(38e)から離間し、上偏向レバー(38a)は、図示しないスプリングの弾力により反時計方向に揺動して、上偏向レバー(38a)が開放位置から閉鎖位置に移動し、上偏向レバー(38a)の先端が搬送通路（21）外に離間する。
【００２５】
同様に、下ソレノイド(252)が励磁されると、下スプリング(258)の弾力に抗して下中間レバー(254)が軸(261)周りに時計方向に揺動するので、下レバーローラ(256)は、下レバーエンド(38f)を下還流庫(32)の内部へと押込む。これにより、下偏向レバー(38b)が時計方向に揺動して、下偏向レバー(38b)が閉鎖位置から開放位置に移動し、下偏向レバー(38b)の先端が搬送通路（21）内に突出する。下ソレノイド(252)が消磁されると、下スプリング(258)の弾力により下中間レバー(254)が軸(261)周りに反時計方向に揺動するので、下レバーローラ(256)は、下レバーエンド(38f)から離間し、下偏向レバー(38b)は、図示しないスプリングの弾力により反時計方向に揺動して、下偏向レバー(38b)が開放位置から閉鎖位置に移動し、下偏向レバー(38b)の先端が搬送通路（21）外に離間する。このように、上偏向レバー(38a)と下偏向レバー(38b)は、上ソレノイド(251)と下ソレノイド(252)により閉鎖位置と開放位置との間で個別に回動される。また、上偏向レバー(38a)の上レバーエンド(38e)と上レバーローラ(255)とは、単に接触し、下偏向レバー(38b)の下レバーエンド(38f)と下レバーローラ(256)とは単に接触するため、上ソレノイド(251)に対して上偏向レバー(38a)を分離でき、下ソレノイド(252)に対して下偏向レバー(38b)を分離できる。上偏向レバー(38a)及び下偏向レバー(38b)は、それぞれ上還流庫(31)及び下還流庫(32)内に紙幣を案内する。本明細書では、上レバーエンド(38e)と下レバーエンド(38f)を総称的にレバーエンド(38g)と表す。
【００２６】
図６に示すように、上還流庫(31)の搬送モータ(70a)の出力軸に固定されたピニオン(71a)と、ピニオン(71a)に噛合う歯車(72a)と、歯車(72a)に固定されて一体に回転する歯車(74a)と、歯車(74a)に噛合う歯車(75a)と、歯車(75a)に噛合う駆動歯車(76a)とを備える第１の駆動歯車列(91a)が主搬送装置(4)に設けられる。同様に、下還流庫(32)の搬送モータ(70b)の出力軸に固定されたピニオン(71b)と、ピニオン(71b)に噛合う歯車(72b)と、歯車(72b)に固定されて一体に回転する歯車(74b)と、歯車(74b)に噛合う歯車(75b)と、歯車(75b)に噛合う駆動歯車(76b)とを備える第２の駆動歯車列(91b)が主搬送装置(4)に設けられる。
【００２７】
また、駆動歯車(76a)に分離可能に噛合う中間歯車(35a)と、中間歯車(35a)に噛合う歯車(36a)と、歯車(36a)に噛合う歯車(37a)とを備える第１の被駆動歯車列(92a)が上還流庫(31)に設けられる。また、上供給ローラ(33a)は、中間歯車(35a)に一体に形成され、上繰出しローラ(34a)は、歯車(37a)に一体に形成される。同様に、駆動歯車(76b)に分離可能に噛合う中間歯車(35b)と、中間歯車(35b)に噛合う歯車(36b)と、歯車(36b)に噛合う歯車(37b)とを備える第２の被駆動歯車列(92b)が下還流庫(32)に設けられる。また、下供給ローラ(33b)は、中間歯車(35b)に一体に形成され、上繰出しローラ(34b)は、歯車(37b)に一体に形成される。
【００２８】
下方位置と上方位置との間で還流庫(50,31,32)を垂直方向に移動するリフタ(180)が鑑別装置(2)のフレーム(2a)の側壁に取り付けられる。リフタ(180)は、図９に示すように、鑑別装置(2)に取り付けられるリフタモータ(80)と、リフタモータ(80)により回転される回転板(81)と、回転板(81)の中心軸から偏心する位置に設けられるピン(81a)と、ピン(81a)が係合する切欠部(82b)が形成されかつ軸(82a)周りに揺動可能なリフトレバー(82)と、リフトレバー(82)の端部に形成される長孔(82c)に嵌合されるピン(83a)が端部に固定されるロッド(83)と、ロッド(83)の切欠部(83b)に嵌合されるローラ(58)が取り付けられる収納排出装置(3)の支持板(57)と、軸(55c)に対し回動可能に取り付けられる底板(55)と、支持板(57)の上方に固定される押込部材(56)とを備える。支持板(57)は、スプリング(59a)を介して固定される底板(55)に接続される。即ち、底板(55)は、軸(55c)により上還流庫(31)内に回転可能に取り付けられる上底板（第１の底板）(55a)と、支持板(57a)の上方にそれぞれ固定される押込部材(56a)と、軸(55d)により下還流庫(32)内に回転可能に取り付けられる下底板（第２の底板）(55b)と、支持板(57)の上方に固定される押込部材(56b)とを備える。
【００２９】
リフトモータ(80)が正転すると、回転板(81)を介して軸(82a)周りにリフトレバー(82)が時計方向に回転するので、ロッド(83)が上昇する。このため、図９に示す下方位置から図１１に示す上方位置に支持板(57)も固定される押込部材(56,56a,56b)に向ってロッド(83)と共に上昇する。上昇する支持板(57,57a,57b)によりスプリング(59a)がその弾性力に抗して伸張される。従って、図１０に示すように、供給ローラ(33,33a,33b)から紙幣が支持板(57,57a,57b)上に供給された状態で、支持板(57,57a,57b)がロッド(83)と共に上昇すると、図１２に示すように、紙幣が押込部材(56,56a,56b)により、スプリング(59a)の弾力に抗して、支持板(57,57a,57b)内に強制的に底板(55,55a,55b)上に収容される。その後、リフトモータ(80)が更に一方向に回転すると、リフトレバー(82)が回転して、ロッド(83)が下降するため、支持板(57)もロッド(83)と共に下降する。そこで、図１３に示すように、スプリング(59a)がその弾性力により収縮して、紙幣の両縁部は、底板(55)上に配置される。
【００３０】
次に、図１７に示すフローチャートについて紙幣の収納動作を説明する。ステップ１００のスタートからステップ１０１に進み、入口センサ(20a)は、入口(20)に挿入される紙幣により、オンに切り換えられたか否かを検出する。入口(20)に紙幣が挿入されると、入口センサ(20a)がオンとなり、入口センサ(20a)の検出信号は、ＣＰＵにより構成される識別搬送制御装置(200)に送出され、識別搬送制御装置(200)は、搬送モータ(23)を正転する（ステップ１０２）。このため、鑑別搬送通路(22a)に沿って紙幣が移動し、鑑別センサ(10)は、移動する紙幣の光学的特性又は磁気的特性を検出して、識別搬送制御装置(200)に検出信号を送信する。識別搬送制御装置(200)は、鑑別センサ(10)の検出信号を受信して、紙幣が真札か否か判断（ステップ１０３）し、真札と判断すると、次に鑑別センサ(10)の検出信号から紙幣の金種を判定する（ステップ１０４）。上還流庫(31)と下還流庫(32)内には、異なる金種の紙幣が収納されるので、識別搬送制御装置(200)は、上ソレノイド(251)か又は下ソレノイド(252)の何れかを選択的に駆動（ステップ１０５）して、上偏向レバー(38a)又は下偏向レバー(38b)を選択的に閉鎖位置から開放位置に回動される。次に、識別搬送制御装置(200)は、上還流モータ(70a)又は下還流モータ(70b)のうち、紙幣の金種に対応する還流モータ(70)を正転する（ステップ１０６）。その後、識別搬送制御装置(200)は、通過センサ(21a)からの検出信号を受信することにより、紙幣が通過センサ(21a)を通過したか否か判断（ステップ１０７）し、更に、紙幣が通過センサ(21a)を通過した後に一定時間経過したか否か判断する（ステップ１０８）。これにより、紙幣がその金種に対応する偏向レバー(38)を通過して、図１０に示すように、対応する上還流庫(31)又は下還流庫(32)の支持板(57a,57b)上に供給されるので、識別搬送制御装置(200)は、駆動した対応する上ソレノイド(251)又は下ソレノイド(252)をオフに切り換えて、上偏向レバー(38a)又は下偏向レバー(38b)を開放位置から閉鎖位置に回動させる（ステップ１０９）と共に、駆動した上還流モータ(70a)又は下還流モータ(70b)を停止する（ステップ１１０）。
【００３１】
その後、識別搬送制御装置(200)は、リフタモータ(80)を作動して（ステップ111）、図９に示す下方位置から図１１に示す上昇位置にロッド(83)が移動される。ステップ１１２では、第１のリフタセンサ(84)がオンになり、第１のリフタセンサ(84)の検出信号を識別搬送制御装置(200)が受信したか否か判断する。ステップ１１２で、第１のリフタセンサ(84)がオンになり、次に、第２のリフタセンサ(85)がオンになると、支持板(57a,57b)が図１０に示す下方位置から図１２に示す上方位置に移動して、押込部材(56a,56b)により紙幣が図１２に示すように、支持板(57,57a,57b)内に強制的に底板(55,55a,55b)上に収容される。ステップ１１３からステップ１１４に進み、識別搬送制御装置(200)は、更にリフタモータ(80)を作動させ、図１１から図９に示す下方位置にロッド(83)が戻る初期位置で、第１のリフタセンサ(84)でロッド(83)の下降を検出して、リフタモータ(80)を停止させた後に、紙幣の収納動作を終了する。収納動作が終了する状態では、紙幣の両縁部は、図１３に示すように、底板(55)上に収納される。
【００３２】
ステップ１０３にて識別搬送制御装置(200)が真札と判断できないとき、ステップ１３０から１１６に進み、搬送モータ(23)を逆転すると、紙幣が入口(20)に向って戻される。紙幣が入口(20)に戻されて、入口センサ(20a)がオンになる（ステップ１１７）と、識別搬送制御装置(200)は、搬送モータ(23)の作動を停止する（ステップ１１８）。その後、操作者が紙幣を入口(20)から抜き取る（ステップ１１９)と、紙幣の返却動作が完了する。
【００３３】
続いて、図１８に示すフローチャートについて紙幣の払出動作を説明する。ステップ１２１のスタートからステップ１２２に進み、識別搬送制御装置(200)は、払出動作の事前準備として、搬送モータ(23)を逆転させ、ステップ１２３では、払い出すべき金種の紙幣を収納する上還流庫(31)又は下還流庫(32)に対応する上ソレノイド(251)又は下ソレノイド(252)をオンにする。これにより、対応する偏向レバー(38)が閉鎖位置から開放位置に回動する。この状態で、リフタモータ(80)を正転する（ステップ１２４）と、ステップ１２５にて第１のリフタセンサ(84)がオンとなり、ステップ１２６にて第２のリフタセンサ(85)がオンになる。その後、ステップ１２７にて第２のリフタセンサ(85)の一定時間のオン状態を確実に検出して、リフタモータ(80)の作動を停止して（ステップ１２８）、図１１に示すように、ロッド(83)を上昇位置に保持することにより、図１５に示すように、底板(55)を傾斜状態に保持する。この状態では、上還流庫(31)と下還流庫(32)内にそれぞれ収容される最上部の紙幣は、繰出しローラ(33)に当接して、払出の準備が完了する。更に、図１６に示すように、繰出しローラ(33,34a,34b)及び供給ローラ(33,33a,33b)を回転することにより、上還流庫(31)と下還流庫(32)から紙幣を還流搬送通路(6)に取り出すことができる。
【００３４】
次に、ステップ(129)にて金種に対応する還流モータ(70,70a,70b)を逆転すると、偏向レバー(38)が既に開放位置に回動され、搬送モータ(23)が逆転するので、所定の金種の紙幣は、円滑に対応する還流庫(50)から排出される（ステップ１３０）。その後、ステップ１３１にて通過センサ(21a)が通過中か否か判断し、通過センサ(21a)のオフ検出信号が識別搬送制御装置(200)に送出されると、識別搬送制御装置(200)は、通過開始後一定時間経過したか否か判断し（ステップ１３２）、一定時間経過すると、識別搬送制御装置(200)は、払い出す金種に対応する還流モータ(70)の作動を停止する（ステップ１３３）。
【００３５】
続いて、識別搬送制御装置(200)は、ステップ１３４にて通過センサ(21a)が紙幣の通過を表わすオン検出信号を識別搬送制御装置(200)に送出したか否か判断する。通過センサ(21a)が紙幣の通過を検出すると、ステップ１３５に移行し、識別搬送制御装置(200)は、金種対応還流モータ(70,70a,70b)を正転する。これは、既に、還流庫(50)から排出された紙幣の直下にある後続の紙幣が続けて、還流庫(50)から排出されるため、後続の紙幣を還流庫(50)内に戻す必要がある。還流モータ(70,70a,70b)を正転した後、一定時間経過すると、ステップ１３６からステップ１３７に進み、金種対応還流モータ(70)の作動を停止し、ステップ１３８にて金種対応アクチュエータ（ソレノイド）(251,252)をオフに切り換えて、ステップ１３９に進む。ステップ１３９では、識別搬送制御装置(200)は、再度出金指令信号を受信したか否か判断し、出金指令信号を受信すると、再び、ステップ１２９に進み、出金指令信号を受信しなければ、リフタモータ(80)を正転（ステップ１４０）して、図９に示す下方位置にロッド(83)を戻した後、識別搬送制御装置(200)は、ステップ１４１にて第１のリフタセンサ(84)及び第２のリフタセンサ(85)がオフした後、一定時間経過したか否か判断する。一定時間経過すると、識別搬送制御装置(200)は、リフタモータ(80)の作動を停止して、紙幣の払出動作を終了する。
【００３６】
収納排出装置(3)の還流庫(50)を鑑別装置(2)及び主搬送装置(4)から分離すると、還流庫(50)内に設けられる中間歯車(35,35a,35b)は、主搬送装置(4)内に設けられる駆動歯車(76,76a,76b)から分離すると共に、還流庫(50)内に設けられる供給ローラ(33,33a,33b)及びピンチローラ(49,49a,49b)は、主搬送装置(4)内に設けられる搬送ベルト(40)との接触が解除される。
【００３７】
図２及び図３に示すように、収納装置(3)の側壁(3a)に揺動可能に取り付けられるレバー(39)の先端に設けられる切欠部(39a)が本体フレーム(11)に立設されるピン(90)に係合し、収納装置(3)を本体フレーム(11)に固定することができる。レバー(39)に設けられるハンドル(39b)を手前に倒すことにより、レバー(39)が揺動し、ピン(90)に係合する切欠部(39a)がピン(90)から開放され、収納装置(3)を本体フレーム(11)から取外すことができる。
【００３８】
逆に、鑑別装置(2)内に収納排出装置(3)を取り付けると、還流庫(50)内に設けられる中間歯車(35,35a,35b)は、主搬送装置(4)内に設けられる駆動歯車(76,76a,76b)に自動的に噛合い、供給ローラ(33,33a,33b)及びピンチローラ(49,49a,49b)は、主搬送装置(4)内に設けられる搬送ベルト(40)に自動的に接触する。このように、上還流庫(31)の第１の還流搬送装置(53)に分離可能に駆動接続される第１の還流モータ(71)と、下還流庫(32)の第２の還流搬送装置(54)に分離可能に駆動接続される第２の還流モータ(72)とが主搬送装置(4)に設けられる。
【００３９】
図２０〜図２２は、図９に示すリフタの他の実施の形態を示す。図示のリフタ(180)は、鑑別装置(2)に取り付けられるリフタモータ(80)と、リフタモータ(80)の出力軸に固定される駆動歯車(200)と、駆動歯車(200)と一体に回転するロータリエンコーダ(201)と、エンコーダ(201)の回転によりパルスを発生するエンコーダセンサ(202)と、駆動歯車(200)に噛み合う第１の従動歯車(203)と、第１の従動歯車(203)と同一の軸に固定されて一体に回転する第２の従動歯車(204)と、第２の従動歯車(204)に順次噛み合う第１、第２及び第３の中間歯車(205,206,207)と、第３の中間歯車(207)に噛み合うリフタピニオン(208)と、リフタピニオン(208)に噛み合って、リフタピニオン(208)の回転により垂直方向に移動するラックギア(209)とを備える。ラックギア(209)の移動により、図９に示す支持板(57,57a,57b)及び底板(55,55a,55b)と同様に、図２２に示す支持板(57,57a,57b)も図１０に示す下方位置から図１２に示す上方位置に移動し、図１２に示す上方位置から図１３に示す下方位置に移動して、紙幣を支持板(57,57a,57b)内に収納することができる。また、図２２に示す底板(55,55a,55b)も水平状態と傾斜状態との間で回動して、図１５に示すように、上還流庫(31)と下還流庫(32)内にそれぞれ収容される最上部の紙幣は、繰出しローラ(33)に当接して、払出の準備が完了する。更に、図１６に示すように、繰出しローラ(33,34a,34b)及び供給ローラ(33,33a,33b)を回転することにより、上還流庫(31)と下還流庫(32)から紙幣を還流搬送通路(6)に取り出すことができる。ロータリエンコーダ(201)を備えるため、ロータリエンコーダ(201)が発生するパルス数を計数して、リフタモータ(80)を所望の位置で停止し、駆動しかつ逆転することができる。
【００４０】
本実施の形態では、主搬送ベルト(40)を使用して、紙幣を還流搬送通路(6)に沿って搬送する例を示すが、主搬送ベルト(40)の代わりに又は主搬送ベルト(40)に加えて、主搬送ローラと供給ローラ(33a,33b)又は／及び主搬送ローラとピンチローラ(49,49a,49b)とを使用することもできる。
【産業上の利用可能性】
【００４１】
紙幣鑑別収納払出装置の実施の形態について説明したが、本発明は、紙幣鑑別装置、紙幣識別装置、クーポン受収装置等の紙幣取扱装置に紙幣を収納し又はこれから紙幣を払い出す構造に適する。
【図１】
2010087212.tif 000003
【図２】
2010087212.tif 000004
【図３】
2010087212.tif 000005
【図４】
2010087212.tif 000006
【図５】
2010087212.tif 000007
【図６】
2010087212.tif 000008
【図７】
2010087212.tif 000009
【図８】
2010087212.tif 000010
【図９】
2010087212.tif 000011
【図１０】
2010087212.tif 000012
【図１１】
2010087212.tif 000013
【図１２】
2010087212.tif 000014
【図１３】
2010087212.tif 000015
【図１４】
2010087212.tif 000016
【図１５】
2010087212.tif 000017
【図１６】
2010087212.tif 000018
【図１７】
2010087212.tif 000019
【図１８】
2010087212.tif 000020
【図１９】
2010087212.tif 000021
【図２０】
2010087212.tif 000022
【図２１】
2010087212.tif 000023
【図２２】
2010087212.tif 000024
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
鑑別装置（２）と、鑑別装置（２）に対して着脱可能に取り付けられる収納排出装置（３）と、鑑別装置（２）に取り付けられて鑑別装置（２）と収納排出装置（３）との間で還流搬送通路（６）に沿って紙葉を搬送する主搬送装置（４）とを備え、
収納排出装置（３）は、還流庫（５０）と、主搬送装置（４）を通じて鑑別装置（２）から供給される紙葉を還流庫（５０）内に収納すると共に、還流庫（５０）内に収容される紙葉を取り出す還流搬送装置（５）とを備え、
主搬送装置（４）は、収納排出装置（３）の還流搬送装置（５）を駆動する還流モータ（７０）と、開放位置と閉鎖位置との間で移動可能な偏向レバー（３８）と、開放位置と閉鎖位置との間で偏向レバー（３８）を移動するアクチュエータ（２５０）とを備え、
還流搬送装置（５）と還流モータ（７０）との駆動接続を分離して、収納排出装置（３）を鑑別装置（２）から取り出し、
偏向レバー（３８）が開放位置にあるとき、偏向レバー（３８）は、還流庫（５０）と還流搬送通路（６）との間で搬送される紙葉を案内することを特徴とする紙葉類取扱装置。
【請求項２】
還流搬送装置（５）は、還流搬送通路（６）から還流庫（５０）に紙葉を取り込みかつ還流庫（５０）から排出される紙葉を還流搬送通路（６）に排出する供給ローラ（３３）と、還流庫（５０）から還流搬送通路（６）に紙幣を払い出す繰出しローラ（３４）とを備え、
供給ローラ（３３）と繰出しローラ（３４）とを分離可能に還流モータ（７０）に駆動接続した請求項１に記載の紙葉類取扱装置。
【請求項３】
主搬送装置（４）は、還流搬送通路（６）に沿って配置される主搬送ベルト（４０）又は主搬送ローラを備え、
供給ローラ（３３，３３ａ，３３ｂ）は、還流搬送装置（５）に回転可能に支持されかつ還流搬送通路（６）に沿って主搬送ベルト（４０）又は主搬送ローラに分離可能に押圧され、
鑑別装置（２）から搬送される紙葉は、主搬送ベルト（４０）又は主搬送ローラと供給ローラ（３３，３３ａ，３３ｂ）との間に挟持されて、還流搬送通路（６）に沿って搬送され、
収納排出装置（３）を鑑別装置（２）から取り外すとき、供給ローラ（３３，３３ａ，３３ｂ）を主搬送ベルト（４０）又は主搬送ローラから分離する請求項２に記載の紙葉類取扱装置。
【請求項４】
収納排出装置（３）は、回転可能に支持されかつ還流搬送通路（６）に沿って主搬送ベルト（４０）又は主搬送ローラに分離可能に押圧されるピンチローラ（４９）を備え、
鑑別装置（２）から搬送される紙葉は、主搬送ベルト（４０）又は主搬送ローラとピンチローラ（４９）との間に挟持されて、還流搬送通路（６）に沿って搬送され、
収納排出装置（３）を鑑別装置（２）から取り外すとき、ピンチローラ（４９）を主搬送ベルト（４０）から分離する請求項３に記載の紙葉類取扱装置。
【請求項５】
鑑別装置（２）は、入口（２０）内に挿入される紙葉を鑑別搬送通路（２２ａ）に沿って搬送する鑑別搬送装置（２２）を備え、
主搬送装置（４）は、鑑別搬送通路（２２ａ）に沿って搬送される紙葉を還流搬送通路（６）に沿って収納排出装置（３）に搬送し、
還流モータ（７０）を一方向に回転するとき、還流搬送装置（５）は、還流搬送通路（６）に沿って搬送される紙葉を収納排出装置（３）の還流庫（５０）内に搬送する請求項１に記載の紙葉類取扱装置。
【請求項６】
還流モータ（７０）を他方向に回転するとき、還流搬送装置（５）は、還流庫（５０）に収納される紙葉を還流庫（５０）から還流搬送通路（６）に取出し、
主搬送装置（４）は、還流搬送通路（６）に取り出される紙葉を鑑別搬送通路（２２ａ）に搬送し、
鑑別搬送装置（２２）は、鑑別搬送通路（２２ａ）に搬送される紙葉を入口（２０）に搬送する請求項５に記載の紙葉類取扱装置。
【請求項７】
収納排出装置（３）は、還流庫（５０）から垂直方向に離間して配置されかつ排出不能に紙葉を収納する保管庫（５１）を備え、
保管庫（５１）は、主搬送装置（４）により還流搬送通路（６）に沿って搬送される紙葉を収納する請求項５又は６に記載の紙葉類取扱装置。
【請求項８】
還流庫（５０）は、紙葉を収納する収納空間（８６）の上方に配置される支持板（５７）と、紙葉が繰出しローラ（３４）に接触する接触位置と紙葉が繰出しローラ（３４）から離間する離間位置との間で移動可能に支持板（５７）の下方に配置されて紙葉を支持する底板（５５）と、離間位置から接触位置に底板（５５）を移動させて収納空間（８６）内の紙葉を繰出しローラ（３４）に接触させるリフタ（１８０）とを備え、
紙葉が繰出しローラ（３４）に接触するとき、繰出しローラ（３４）を回転させて、支持板（５７）から還流搬送通路（６）に紙葉を移動する請求項７に記載の紙葉類取扱装置。
【請求項９】
リフタ（１８０）は、リフタモータ（８０）と、リフタモータ（８０）の作動により垂直方向に移動するロッド（８３）とを備え、
ロッド（８３）が垂直方向に移動するとき、支持板（５７）上に支持される紙葉を収納庫（５０）内に収容し又は接触位置に底板（５５）を移動して、紙葉を繰出しローラ（３４）に接触させる請求項８に記載の紙葉類取扱装置。
【請求項１０】
リフタ（１８０）は、リフタモータ（８０）と、リフタモータ（８０）により回転されるピニオン（１８１）と、ピニオン（１８１）に噛み合ってピニオン（１８１）の回転時に垂直方向に移動するラック（１８２）とを備え、
ラック（１８２）が垂直方向に移動するとき、支持板（５７）上に支持される紙葉を収納庫（５０）内に収容すると共に、接触位置に底板（５５）を移動して、紙葉を繰出しローラ（３４）に接触させる請求項８に記載の紙葉類取扱装置。
【請求項１１】
還流搬送装置（５）は、主搬送装置（４）に設けられて還流モータ（７０）により駆動される駆動歯車（７６）に分離可能に噛合う従動歯車（３５）と、主搬送装置（４）に設けられる主搬送ベルト（４０）又は主搬送ローラと、主搬送ベルト（４０）又は主搬送ローラに対して分離可能に押圧されかつ従動歯車（３５）により駆動されて収納排出装置（３）内で紙葉を移動させる供給ローラ（３３）と、還流庫（５０）から還流搬送通路（６）に紙幣を払い出す繰出しローラ（３４）とを備え、
還流モータ（７０）の駆動により駆動歯車（７６）及び従動歯車（３５）を介して供給ローラ（３３）と繰出しローラ（３４）とを回転する請求項１〜１０の何れか１項に記載の紙葉類取扱装置。
【請求項１２】
搬送モータ（２３）の正転時に、鑑別装置（２）の鑑別搬送通路（２２ａ）から還流搬送通路（６）に紙葉を搬送し、
還流モータ（７０）の正転時に、供給ローラ（３３）と繰出しローラ（３４）を正転して、還流搬送通路（６）から還流庫（５０）に紙葉を搬送する請求項１に記載の紙葉類取扱装置。
【請求項１３】
還流モータ（７０）の逆転時に、繰出しモータ（３４）及び供給ローラ（３３）を逆転して、還流庫（５０）から還流搬送通路（６）に紙葉を取出し、
搬送モータ（２３）を逆転して、還流搬送通路（６）から鑑別装置（２）の鑑別搬送通路（２２ａ）に紙葉を搬送する請求項１２に記載の紙葉類取扱装置。
【請求項１４】
（削除）
【請求項１５】
収納排出装置（３）を鑑別装置（２）から取り出すとき、偏向レバー（３８）をアクチュエータ（２５０）から分離する請求項１に記載の紙葉類取扱装置。
【請求項１６】
主搬送ベルト（４０）に対して押圧されるアイドルローラ（４６，４７，４８）をピンチローラ（４９ａ，４９ｂ）に対応する位置に設けた請求項４に記載の紙葉類取扱装置。
【請求項１７】
収納排出装置（３）は、第１の収納排出装置（３１）と、第１の収納排出装置（３１）に対して垂直方向に隣り合って配置される第２の収納排出装置（３２）とを備え、
第１の収納排出装置（３１）は、第１の還流庫（３１ａ）を備え、第２の収納排出装置（３２）は、第１の還流庫（３１ａ）内に収納される紙葉とは異なる種類の紙葉を収納する第２の還流庫（３１ｂ）を備える請求項１に記載の紙葉類取扱装置。
【請求項１８】
還流搬送装置（５）は、還流搬送通路（６）から第１の還流庫（３１ａ）に紙葉を取り込む第１の供給ローラ（３３ａ）と、還流搬送通路（６）から第２の還流庫（３１ｂ）に紙葉を取り込む第２の供給ローラ（３３ｂ）と、第１の還流庫（３１ａ）から還流搬送通路（６）に紙幣を払い出す第１の繰出しローラ（３４ａ）と、第２の還流庫（３１ｂ）から還流搬送通路（６）に紙幣を払い出す第２の繰出しローラ（３４ｂ）とを備える請求項１７に記載の紙葉類取扱装置。
【請求項１９】
還流モータ（７０）は、第１の供給ローラ（３３ａ）に分離可能に駆動連結される第１の還流モータ（７０ａ）と、第２の供給ローラ（３３ｂ）に分離可能に駆動連結される第２の還流モータ（７０ｂ）とを備える請求項１８に記載の紙葉類取扱装置。
【請求項２０】
第１の供給ローラ（３３ａ）は、第１の中間歯車（３５ａ）に駆動連結され、第１の還流モータ（７０ａ）は、第１の駆動歯車（７６ａ）に駆動連結され、
第２の供給ローラ（３３ｂ）は、第２の中間歯車（３５ｂ）に駆動連結され、第２の還流モータ（７０ｂ）は、第２の駆動歯車（７６ｂ）に駆動連結され、
収納排出装置（３）を鑑別装置（２）に取り付けるとき、第１の駆動歯車（３５ａ）と第２の駆動歯車（３５ｂ）は、それぞれ第１の駆動歯車（７６ａ）及び第２の駆動歯車（７６ｂ）に自動的に駆動連結され、
収納排出装置（３）を鑑別装置（２）から取り外すとき、第１の駆動歯車（３５ａ）と第２の駆動歯車（３５ｂ）は、それぞれ第１の駆動歯車（７６ａ）及び第２の駆動歯車（７６ｂ）から自動的に分離される請求項１９に記載の紙葉類取扱装置。
【請求項２１】
主搬送装置（４）は、開放位置と閉鎖位置との間で移動可能な第１の偏向レバー（３８ａ）と、開放位置と閉鎖位置との間で第１の偏向レバー（３８ａ）を移動する第１のアクチュエータ（２５１）と、開放位置と閉鎖位置との間で移動可能な第２の偏向レバー（３８ｂ）と、開放位置と閉鎖位置との間で第２の偏向レバー（３８ｂ）を移動する第２のアクチュエータ（２５２）とを備え、
開放位置にある第１の偏向レバー（３８ａ）は、第１の還流庫（３１）と還流搬送通路（６）との間で搬送される紙葉を案内し、
開放位置にある第２の偏向レバー（３８ｂ）は、第２の還流庫（３１ｂ）と還流通路（６）との間で搬送される紙葉を案内する請求項２０に記載の紙葉類取扱装置。
【請求項２２】
第１のアクチュエータ（２５１）及び第２のアクチュエータ（２５２）に対してそれぞれ第１の偏向レバー（３８ａ）と第２の偏向レバー（３８ｂ）を分離できる請求項２１に記載の紙葉類取扱装置。
【請求項２３】
鑑別装置（２）と収納排出装置（３）とを還流搬送通路（６）で分離できる請求項１〜２２のいずれか１項に記載の紙葉類取扱装置。
【国際調査報告】
2010087212.tif 000025
2010087212.tif 000026
2010087212.tif 000027
2010087212.tif 000028
2010087212.tif 000029
2010087212.tif 000030
2010087212.tif 000031
2010087212.tif 000032